【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
カートリッジまたは注入チューブセット内の空気の存在を判定するためのシステムであって、前記システムは、
前記カートリッジを入れるための大きさと形状を持つ流体ポンプハウジングと；
前記流体ポンプハウジング内のポンプ機構であって、前記ポンプ機構は、第１の時間の間にカートリッジプランジャを前記カートリッジ内へ指定された距離だけ徐々に移動させるよう構成され、前記ポンプ機構は、第２の時間の間に前記カートリッジプランジャを前記指定された距離だけ徐々に引き戻すよう構成されるポンプ機構と；
前記流体ポンプハウジング内の圧力センサであって、前記圧力センサは、前記第１の時間の間に前記カートリッジ内の第１の圧力および第２の圧力を測定するよう構成される圧力センサと；
前記ポンプ機構および前記圧力センサに取り付けられるコントローラと
を備え、
前記コントローラは、
前記第１の圧力の測定および前記第２の圧力の測定に基づいて、前記カートリッジ内の第１の圧力の変化の割合を決定するよう構成された圧力の変化の割合決定モジュールと、
前記第１の圧力の変化の割合を指定された圧力の変化の割合と比較するよう構成された比較モジュールと、
前記第１の圧力の変化の割合が前記指定された圧力の変化の割合よりも小さい場合、前記カートリッジまたは注入チューブセットの少なくとも１つの内部の空気または大きな漏出の存在を示唆する警告を与えるよう構成された警告モジュールを含むコントローラと、を含む、カートリッジまたは注入チューブセット内の空気の存在を判定するためのシステム。
【請求項２】
前記システムはさらに、カートリッジ排出口および注入チューブセットの少なくとも１つを遮蔽するよう構成された遮蔽機構を含む、
請求項１に記載のシステム。
【請求項３】
前記ポンプ機構は、前記カートリッジから流体を押出し、注入セットチューブへ流すよう構成される、
請求項１に記載のシステム
【請求項４】
前記カートリッジプランジャを前記カートリッジ内へと前記指定された距離だけ徐々に移動させるよう構成された前記ポンプ機構は、前記第１の時間の間に目標圧力に到達するまで前記カートリッジプランジャを移動させるよう構成される、
請求項１に記載のシステム。
【請求項５】
カートリッジまたは注入チューブセット内に漏出があるかどうかを判定するためのシステムであって、前記システムは、
前記カートリッジを入れるための大きさと形状を持つ流体ポンプハウジングと；
前記流体ポンプハウジング内に配置されるポンプ機構であって、前記ポンプ機構は、第１の時間の間に指定された圧力を前記カートリッジに加えるよう構成されるポンプ機構と；
コントローラと
を備え、前記コントローラは、
前記流体ポンプハウジング内に配置される圧力センサであって、前記圧力センサは、前記第１の時間の間に前記カートリッジ内の第１の圧力および第２の圧力を測定するように構成され、前記第２の圧力の測定は前記第１の圧力の測定の後に行なわれる圧力センサと、
前記第２の圧力の測定値を前記第１の圧力の測定値と比較するよう構成された比較モジュールと、
前記第２の圧力の測定値が前記第１の圧力の測定値よりも小さい場合、前記カートリッジまたは注入チューブセットの少なくとも１つの内部の漏出を示唆する警告を与えるよう構成された警告モジュールと、
を含むシステム。
【請求項６】
前記システムはさらに、流体カートリッジ排出口および注入チューブセットの少なくとも１つを遮蔽するよう構成された遮蔽機構を含む、
請求項５に記載のシステム。
【請求項７】
前記ポンプ機構は、前記カートリッジから流体を押出し、前記注入チューブセットへ流すよう構成される、
請求項５に記載のシステム。
【請求項８】
前記コントローラは、前記注入チューブセットの弾力性に基づいて前記指定された圧力を調節するよう構成された、指定された圧力調節モジュールを含む、
請求項５に記載のシステム。
【請求項９】
前記コントローラは、前記注入チューブセットおよび前記ポンプ機構周囲の温度に基づいて前記指定された圧力を上方または下方に調節するよう構成された指定された圧力調節モジュールを含む、
請求項５に記載のシステム。
【請求項１０】
カートリッジまたは注入チューブセット内の空気の存在を判定するための方法であって、前記方法は、
カートリッジをポンプに挿入することであって、前記カートリッジおよび注入チューブセットの少なくとも１つは密閉されていることと；
第１の時間にカートリッジプランジャを所定の距離だけ前記カートリッジ内へ移動させることと；
前記カートリッジプランジャが前記所定の距離を移動する間に、前記カートリッジおよび前記注入チューブセット内の第１の圧力を測定することと；
前記第１の圧力の測定値が指定された圧力よりも小さい場合、前記カートリッジおよび注入チューブセットの少なくとも１つが或る量の空気を含むと判定することと
を含む、方法。
【請求項１１】
前記所定の距離だけ前記カートリッジプランジャを移動させることは、或る時間の間に、前記所定のプランジャの位置に到達するまで前記プランジャを徐々に移動させることを含み、
前記カートリッジおよび前記注入チューブセット内の前記第１の圧力を測定することは、前記時間の間に前記カートリッジおよび前記注入チューブセット内の圧力の変化の割合を測定することを含む、
請求項１０に記載の方法。
【請求項１２】
カートリッジまたは注入チューブセット内に漏出があるかどうかを判定するための方法であって、前記方法は、
カートリッジをポンプに挿入することであって、少なくとも前記カートリッジは挿入時密閉されていることと；
カートリッジプランジャを指定された距離だけ前記カートリッジ内へ移動させることと；
第１の時間の間、前記カートリッジプランジャを前記指定された距離に維持することと；
前記第１の時間の間に前記カートリッジ内の第１の圧力を測定することと；
前記第１の時間の間の前記第１の圧力の測定の後で、前記カートリッジ内の第２の圧力を測定することと；
前記第２の圧力の測定値が前記第１の圧力の測定値よりも小さい場合、前記カートリッジまたは前記注入チューブセットの少なくとも１つが漏出を含むと判定することと
を含む方法。
【請求項１３】
カートリッジおよび注入チューブセット内の空気および漏出の存在を判定するための方法であって、前記方法は、
カートリッジをポンプに挿入することと；
前記カートリッジおよび注入チューブセットの少なくとも１つを密閉することと；
第１の時間の間に、カートリッジプランジャを前記カートリッジ内へ指定された距離だけ徐々に移動させることと；
第２の時間の間、前記カートリッジプランジャを前記指定された距離に維持することと；
前記第１の時間の間、前記カートリッジ内の第１の圧力の変化の割合を測定することと；
前記第１の圧力の変化の割合が、指定された圧力の変化の割合よりも小さい場合、前記カートリッジおよび注入チューブセットの少なくとも１つが或る量の空気または著しい漏出を含むと判定することと；
前記第２の時間の間に前記カートリッジ内の第１の圧力を測定することと；
前記第２の時間の間に前記カートリッジ内の第２の圧力を測定することと；
前記第２の圧力の測定値が前記第１の圧力の測定値よりも小さい場合、前記カートリッジおよび前記注入チューブセットの少なくとも１つが漏出を有すると判定することと
を含む方法。